(57)【要約】【課題】  本発明は釣り用水汲みバケツに関し、容易に水汲みができ、バケツ本体のスムーズな引き上げを可能とした釣り用水汲みバケツを提供することを目的とする。【解決手段】  請求項１に係る発明は、上方に開口するバケツ本体の開口部に沿って形状保持用のフレームが装着された釣り用水汲みバケツに於て、上記開口部を挟んで相対向するフレームの対向部位にハンドル取付部を設け、当該ハンドル取付部間にハンドルを回動自在に取り付けて、ハンドルを倒伏及び起立可能としたことを特徴とする。  そして、請求項２に係る発明は、請求項１に記載の釣り用水汲みバケツに於て、取付部を、フレームから上方へ突設したことを特徴とし、請求項３に係る発明は、請求項１または請求項２に記載の釣り用水汲みバケツに於て、ハンドル取付部に挿通孔を形成し、ハンドル側に、当該挿通孔に回動自在に保持される回動軸部を設けたことを特徴とする。【選択図】    図１
2006055010.tif 000002
【特許請求の範囲】
【請求項１】
上方に開口するバケツ本体の開口部に沿って形状保持用のフレームが装着された釣り用水汲みバケツに於て、
上記開口部を挟んで相対向するフレームの対向部位にハンドル取付部を設け、当該ハンドル取付部間にハンドルを回動自在に取り付けて、ハンドルを倒伏及び起立可能としたことを特徴とする釣り用水汲みバケツ。
【請求項２】
取付部を、フレームから上方へ突設したことを特徴とする請求項１に記載の釣り用水汲みバケツ。
【請求項３】
ハンドル取付部に挿通孔を形成し、ハンドル側に、当該挿通孔に回動自在に保持される回動軸部を設けたことを特徴とする請求項１または請求項２に記載の釣り用水汲みバケツ。
【請求項４】
ハンドル取付部に、挿通孔に連通して回動軸部差込み用の開口部を設けたことを特徴とする請求項３に記載の釣り用水汲みバケツ。
【発明の詳細な説明】
【技術分野】
【０００１】
本発明は、魚釣りに際して、水を汲み上げるために用いる釣り用水汲みバケツに関する。
【背景技術】
【０００２】
従来から釣場で生け簀に水を入れたり練り餌に加える等、水が必要なときに釣り用水汲みバケツが使用されている。
釣り用水汲みバケツは、上方に開口部を有するバケツ本体と、当該開口部を挟んで相対向するバケツ本体の側面（周面）間に架け渡された把手と、バケツ本体を引き上げる吊下げ紐（ロープ）とからなり、吊下げ紐は把手に連結され、バケツ本体には、形状保持用のフレームが開口部の周縁部に沿って装着されている。
【０００３】
そして、吊下げ紐の一端を保持し乍ら水面にバケツ本体を投げ入れて、バケツ本体内に水を入れた後、吊下げ紐を手繰ってバケツ本体を引き上げて水を汲み取っている。
ところが、従来、この種の釣り用水汲みバケツは、バケツ本体を水面に投げ入れると、バケツ本体の底部が水面に先ず接してバケツ本体が水面上に浮いてしまうことが多く、バケツ本体を倒して水を入れることが難しかった。
【０００４】
そこで、斯かる実情に鑑み特許文献１には、上方に起立させた際に形状を維持する硬さを持ったＵ字状の合成樹脂製のハンドルで把手を形成して、当該ハンドルに重りを装着した釣り用水汲みバケツが開示されており、斯かる釣り用水汲みバケツによれば、着水時にハンドルの倒れる反動でバケツ本体が水汲み姿勢に傾くため、容易に水汲みができる利点を有する。
【特許文献１】特開２００３−７９２９８号公報
【発明の開示】
【発明が解決しようとする課題】
【０００５】
しかし乍ら、上述した釣り用水汲みバケツは、柔軟性を有するシートで形成されたバケツ本体の相対向する上部外側面に舌片状のハンドル止着部を溶着等で固定して、開口部の上方を跨ぐように両ハンドル止着部間にハンドルを架け渡した構造であるため、崖等に沿って水中からバケツ本体を引き上げる際に、ハンドル止着部が岩等に当たって引っ掛かり易く、バケツ本体をスムーズに引き上げることができない虞があった。
【０００６】
また、斯様にハンドル止着部が岩等に引っ掛かった際に、吊下げ紐を引っ張って外そうとすると、ハンドル止着部に負荷が掛かってハンドル止着部がバケツ本体から剥がれてしまったり、ハンドル止着部が破損してハンドルが外れてしまう虞もある。
本発明は斯かる実情に鑑み案出されたもので、容易に水汲みができ、バケツ本体のスムーズな引き上げを可能とした釣り用水汲みバケツを提供することを目的とする。
【課題を解決するための手段】
【０００７】
斯かる目的を達成するため、請求項１に係る発明は、上方に開口するバケツ本体の開口部に沿って形状保持用のフレームが装着された釣り用水汲みバケツに於て、上記開口部を挟んで相対向するフレームの対向部位にハンドル取付部を設け、当該ハンドル取付部間にハンドルを回動自在に取り付けて、ハンドルを倒伏及び起立可能としたことを特徴とする。
【０００８】
そして、請求項２に係る発明は、請求項１に記載の釣り用水汲みバケツに於て、取付部を、フレームから上方へ突設したことを特徴とし、請求項３に係る発明は、請求項１または請求項２に記載の釣り用水汲みバケツに於て、ハンドル取付部に挿通孔を形成し、ハンドル側に、当該挿通孔に回動自在に保持される回動軸部を設けたことを特徴とする。
更に請求項４に係る発明は、請求項３に記載の釣り用水汲みバケツに於て、ハンドル取付部に、挿通孔に連通して回動軸部差込み用の開口部を設けたことを特徴とする。
【発明の効果】
【０００９】
各請求項に係る発明によれば、バケツ本体の引き上げ時にハンドル取付部が岩等に引っ掛かり難いため、従来に比しバケツ本体の引き上げが容易になると共に、ハンドル取付部が岩等に引っ掛かって破損することがない利点を有する。
そして、請求項２に係る発明によれば、ハンドル取付部がフレーム上に突出するため、バケツ本体の引き上げ時に、ハンドル取付部が岩等に引っ掛かることが更に確実に防止できる利点を有する。
【発明を実施するための最良の形態】
【００１０】
以下、本発明の実施形態を図面に基づいて詳細に説明する。
図１乃至図５は請求項１乃至請求項４に係る釣り用水汲みバケツの一実施形態を示し、図に於て、１は側部３と底部５とで形成された防水性を有するボックス状のバケツ本体で、バケツ本体１は上部に開口部７を有し、内部を汲んだ水の収納部としている。
而して、側部３は、例えばエチレン酢酸ビニルや塩化ビニル等の柔軟で防水性を有する平面視矩形状の合成樹脂シートの一側と他側を重ねて高周波溶着等で接合して形成されている。
【００１１】
また、合成樹脂シートの上部は外側に折り返されて開口部７の周縁部９を形成しており、夫々の折返し片１１は、金属や合成樹脂で形成された平面視正方形状のフレーム１３を挟んで側部３の外側に高周波溶着等で接合されている。
尚、本実施形態では、平面視正方形状のフレーム１３を用いてバケツ本体１をボックス状に形成したが、例えば平面視円形形状のフレームを用いてバケツ本体を丸形に形成してもよい。
【００１２】
そして、側部３の下端に底部５の周囲が同じく高周波溶着等で接合されており、底部５も、側部３と同一材料からなる合成樹脂シートを用いて形成されている。
従って、バケツ本体１は、釣場への携帯時等に合成樹脂シートで形成された柔軟な側部３を折り曲げて上下方向から潰すようにコンパクトに折り畳むことが可能で、開口部７はフレーム１３によって形状保持が図られる。
【００１３】
そして、バケツ本体１の左右側面３ａ，３ｂに位置するフレーム１３に、ハンドル取付部１５を介してハンドル１７が回動自在に取り付けられている。
即ち、既述したようにバケツ本体１の側部３を形成する合成樹脂シートの上部は外側に折り返されて開口部７の周縁部９を形成しているが、図２乃至図５に示すように左右側面３ａ，３ｂの周縁部９中央に側面視凹状の切欠き部１９が設けられており、フレーム１３が両切欠き部１９内で一部露出している。そして、斯様に開口部７を挟んで切欠き部１９内で露出したフレーム１３の対向部位にハンドル取付部１５が取り付けられている。
【００１４】
図３乃至図５に示すようにハンドル取付部１５は可撓性を有しているが、自ら形状を維持する硬さを持って合成樹脂材で形成された正面視逆Ｕ字状の板材で、側部３から外方へあまり突出しない肉厚で形成され、その上部側に、後述するハンドル１７の回動軸部２１が回動自在に挿通する円形形状の挿通孔２３がフレーム１３と交差する方向に設けられている。
【００１５】
更に、上記挿通孔２３に連通する溝状の差込み用開口部２５がハンドル取付部１５の下方に亘って設けられており、当該差込み用開口部２５に沿って回動軸部２１が挿通孔２３内に差し込まれるようになっている。
尚、挿通孔２３に差し込んだ回動軸部２１の脱落を防止するため、差込み用開口部２５は挿通孔２３の径より幅狭とされ、また、挿通孔２３と交差してこれを分断するように設けられており、後述する挿通孔２９にフレーム１３が挿通されることで回動軸部２１の脱落が防止されている。
【００１６】
そして、図５に示すように差込み用開口部２５を挟んで二股に分岐したハンドル取付部１５の下端部に、厚肉な断面円形形状の厚肉部２７が左右側面３ａ，３ｂに沿って設けられている。そして、厚肉部２７の中央に、杆状のフレーム１３が軸方向に挿通する挿通孔２９が設けられており、この挿通孔２９にフレーム１３が挿通されて、ハンドル取付部１５はフレーム１３からバケツ本体１の上方へ突出するように当該フレーム１３の外周に保持されている。
【００１７】
一方、図１に示すようにハンドル１７は、例えばエチレン酢酸ビニルからなる合成樹脂製で、当該ハンドル１７を上方に起立させた時にバケツ本体１の左右側面３ａ，３ｂ方向に向かう握持部３１と、その両端から下方に向かう一対の杆部３３とで開口部７の上方をアーチ状に跨ぐように正面視コ字状に形成されており、ハンドル１７は、開口部７と略同じ幅に形成されてバケツ本体１の外方への突出を少なくしている。そして、ハンドル１７は合成樹脂を金型で形成して一体に形成され、上方に起立させた際に形状を維持する硬さを持って形成されている。
【００１８】
また、図１に示すように握持部３１の中央には、他の部位に比し厚肉な断面略矩形状のグリップ部３５が設けられ、当該グリップ部３５に、ハンドル１７を上方に起立させた際に上下方向に開口する貫通孔（図示せず）が握持部３１の長さ方向の中央に設けられている。そして、当該貫通孔に合成樹脂製の吊下げ紐３７の一端が挿通しており、図示しないが吊下げ紐３７は、その端部にこぶを作って貫通孔からの抜止めが図られている。そして、吊下げ紐３７の他端側は糸巻き（巻取り具）３９に巻回されている。
【００１９】
そして、図１，図３乃至図５に示すように杆部３３の下端部に、ハンドル取付部１５が挿通するハンドル孔４１が開口し、且つ前記挿通孔２３に回動自在に挿通する断面円形状の回動軸部２１が形成された支持部４３が設けられており、斯かる構造によって、挿通孔２３に挿通した回動軸部２１はフレーム１３と交差するように設けられるため、ハンドル１７はハンドル取付部１５からフレーム１３の延設方向に回動し、図２に示すようにハンドル１７が、ハンドル取付部１５を介してバケツ本体１の前側側面３ｃと後側側面３ｄ方向（図２中、矢印方向）へ回動方向が規制され乍ら自在に倒伏及び起立可能となっている。そして、既述したようにハンドル１７の握持部３１に、杆部３３より重くなるように厚肉なグリップ部３５が設けられているため、ハンドル１７は支持しない状態で図２の二点鎖線で示す倒伏状態となる。
【００２０】
本実施形態に係る釣り用水汲みバケツ４５はこのように構成されており、その製造に当たっては、ハンドル取付部１５の差込み用開口部２５からハンドル１７の回動軸部２１を挿通孔２３内に差し込み、次いでハンドル取付部１５の厚肉部２７に設けた挿通孔２９にフレーム１３を挿通して、ハンドル１７の一対の支持部４３を、夫々、フレーム１３の対向位置に配置する。そして、ハンドル取付部１５を露出させて合成樹脂シートを貼り合わせてバケツ本体１を形成すればよく、図示しないが切欠き部１９内で露出するフレーム１３を隠すため、切欠き部１９を化粧シート等で覆ってもよい。
【００２１】
そして、釣場への携帯時には、柔軟な側部３を上下方向から潰すようにコンパクトに折り畳んでおけばよく、ハンドル１７に取り付く吊下げ紐３７は邪魔にならないように糸巻き３９に巻回しておけばよい。
また、釣場で釣り用水汲みバケツ４５を用いて水を汲む際には、糸巻き３９に巻回した吊下げ紐３７を所定量繰り出した後、吊下げ紐３７の糸巻き側を保持した状態で水面にバケツ本体１を投げ入れれば、着水に伴いハンドル１７が倒れ、この反動でバケツ本体１が倒れてバケツ本体１内に水が汲まれる。
【００２２】
そして、この後、吊下げ紐３７を手繰れば、図２の実線の如くハンドル１７が起き上がり、このまま吊下げ紐３７を手繰ってバケツ本体１を引き上げることで水を汲むことができ、吊下げ紐３７が握持部３１の長さ方向の中央に設けた貫通孔を挿通しているため、バケツ本体１がバランス良く引き上げられることとなる。
而も、既述したように特許文献１の釣り用水汲みバケツは、バケツ本体の相対向する上部外側面に舌片状のハンドル止着部を固着していたため、崖等に沿って水中からバケツ本体を引き上げる際に、ハンドル止着部が岩等に引っ掛かり易く、また、ハンドル止着部が岩等に引っ掛かった際に吊下げ紐を引っ張って外そうとすると、ハンドル止着部に負荷が掛かってハンドル止着部がバケツ本体から剥がれてしまったり、ハンドル止着部が破損してハンドルが外れてしまう虞もあったが、本実施形態では、ハンドル取付部１５がフレーム１３上に突出するように取り付けられ、而も、当該ハンドル取付部１５が板材に形成されて、フレーム１３の延設方向または開口部７の周縁部９に沿うように配して側部３から外方へあまり突出しない肉厚で形成されていることもあって、引き上げの際にハンドル取付部１５が岩等に引っ掛かることがない。
【００２３】
このように本実施形態によれば、ハンドル１７が倒れる反動でバケツ本体１が倒れるため、簡単にバケツ本体１内に水を汲むことができ、また、バケツ本体１の引き上げ時にハンドル取付部１５が岩等に引っ掛かり難いため、特許文献１の従来例に比しバケツ本体１の引き上げが容易になると共に、ハンドル取付部１５が破損することがない利点を有する。
【００２４】
また、ハンドル取付部１５をバケツ本体１の側部３より剛性が大きいフレーム１３に設けたため、バケツ本体１の側部３に取り付けた場合のようにハンドル取付部１５がふらつかずに安定して、ハンドル１７の回動が安定し、バケツ本体１が倒れ易くなる。
図６乃至図１０は請求項１乃至請求項３に係る釣り用水汲みバケツの一実施形態を示し、図示するように本実施形態は、既述したハンドル取付部１５に代え、図７，図９及び図１０に示すように前記フレーム１３と同一目的，同一材料からなるフレーム１３-1の２カ所をバケツ本体１-1の上方へ正面視逆Ｕ字状に湾曲させて、開口部７を挟んで相対向するハンドル取付部４７を形成すると共に、当該ハンドル取付部４７を、夫々、バケツ本体１-1の相対向する左右の切欠き部１９内に露出させたもので、湾曲形状の内側がハンドル１７の回動軸部２１が回動自在に挿通する挿通孔４９となっている。
【００２５】
而して、斯かる構造により、本実施形態に於ても、図７の如くハンドル１７がバケツ本体１-1の前側側面３ｃと後側側面３ｄ方向（図中、矢印方向）へ自在に倒伏及び起立可能となり、支持しない状態でハンドル１７は二点鎖線で示す倒伏状態となる。
尚、本実施形態のその他の構成は図１乃至図５に示す実施形態と同様であるため、同一のものには同一符号を付してそれらの説明は省略する。
【００２６】
このように本実施形態は、図４のハンドル取付部１５に代え、図７，図９及び図１０に示すようにフレーム１３-1の２カ所をバケツ本体１-1の上方へ正面視逆Ｕ字状に湾曲させて、開口部７を挟んで相対向するハンドル取付部４７を形成すると共に、当該ハンドル取付部４７にハンドル１７を回動自在に取り付けたので、本実施形態によっても、図１の実施形態と同様、所期の目的を達成することが可能で、簡単にバケツ本体１-1内に水を汲むことができ、また、バケツ本体１-1の引き上げ時にハンドル取付部４７が岩等に引っ掛かり難いため、特許文献１の従来例に比しバケツ本体１-1の引き上げが容易になると共に、ハンドル取付部４７が破損することがない利点を有する。
【図面の簡単な説明】
【００２７】
【図１】請求項１乃至請求項４の一実施形態に係る釣り用水汲みバケツの正面図である。
【図２】図１に示す釣り用水汲みバケツの一部切欠き側面図である。
【図３】フレームに取り付くハンドル取付部とハンドルの連結構造の要部拡大断面図である。
【図４】フレームに取り付くハンドル取付部とハンドルの連結構造の要部拡大断面図である。
【図５】フレームに取り付くハンドル取付部とハンドルの連結構造の要部拡大斜視図である。
【図６】請求項１乃至請求項３の一実施形態に係る釣り用水汲みバケツの正面図である。
【図７】図６に示す釣り用水汲みバケツの一部切欠き側面図である。
【図８】フレームに形成されたハンドル取付部とハンドルの連結構造の要部拡大断面図である。
【図９】フレームに形成されたハンドル取付部とハンドルの連結構造の要部拡大断面図である。
【図１０】フレームに形成されたハンドル取付部とハンドルの連結構造の要部拡大斜視図である。
【符号の説明】
【００２８】
１，１-1  バケツ本体
３  側部
５  底部
７  開口部
９  周縁部
１１  折返し片
１３，１３-1  フレーム
１５，４７  ハンドル取付部
１７  ハンドル
１９  切欠き部
２１  回動軸部
２３，２９，４９  挿通孔
２５  差込み用開口部
２７  厚肉部
３１  握持部
３３  杆部
３５  グリップ部
３７  吊下げ紐
３９  糸巻き
４１  ハンドル孔
４３  支持部
４５，４５-1  釣り用水汲みバケツ
【図１】
2006055010.tif 000003
【図２】
2006055010.tif 000004
【図３】
2006055010.tif 000005
【図４】
2006055010.tif 000006
【図５】
2006055010.tif 000007
【図６】
2006055010.tif 000008
【図７】
2006055010.tif 000009
【図８】
2006055010.tif 000010
【図９】
2006055010.tif 000011
【図１０】
2006055010.tif 000012